(57)【特許請求の範囲】
【請求項１】
鋏であって、
第１の鋏刃と第２の鋏刃とを備え、前記第１の鋏刃と前記第２の鋏刃は、それら両鋏刃の手前端と先端との中間に配置されている旋回部周囲でそれら両鋏刃が角度的に分離され、切断対象の物体を受領する鋏口を形成する開鋏形態から、前記第１の鋏刃と前記第２の鋏刃が重なって前記鋏口を閉じる閉鋏形態に向けて旋回できるように設計され、
前記鋏は、前記鋏口の開きを制限するため、前記第１の鋏刃と前記第２の鋏刃とが前記開鋏形態に向かって旋回できる範囲を制限するよう設計された拘束部をさらに備え、前記拘束部は、前記第１の鋏刃と前記第２の鋏刃とが前記閉鋏形態に向けて旋回できる範囲を制限し、前記鋏口が完全には閉じていない最大に閉じた閉鋏形態を形成するようさらに設計されており、前記第１の鋏刃と前記第２の鋏刃とは、それぞれの鋏刃の先端側に配置された切断部と、それぞれの鋏刃の手前端側に配置されたグリップ部と、をそれぞれ備えており、それぞれの鋏刃の前記切断部の内側縁部は、物体を切断するように設計されている鋭切部と、前記物体と接触したときに前記物体を保持するように設計された鈍部と、を備え、前記鋭切部は前記切断部の手前端に配置され、前記鈍部は前記切断部の先端に配置されており、最大限に閉じた閉鋏形態にある前記鋏の前記鋏口は、前記両鋏刃の前記鈍部とのみ境界を接しており、前記両鋏刃の前記鋭切部とは境界を接しておらず、
前記拘束部は、前記第１の鋏刃上に配置された形成部と、前記第２の鋏刃に配置された相助的スロットと、を備え、前記相助的スロットは、前記旋回部の周囲で弓状であり、前記両鋏刃が前記開鋏形態から前記閉鋏形態に再形態化されるとき、前記形成部は前記スロット内をスライド式に移動するように設計されており、前記スロットはその弓状の長さの外側端及び内側端で閉じており、前記拘束部は、前記両鋏刃が前記開鋏形態及び前記閉鋏形態に向かって旋回できる範囲をそれぞれ制限するよう作用することを特徴とする鋏。
【発明の詳細な説明】
【技術分野】
【０００１】
本発明は鋏の拘束具に関する。
【背景技術】
【０００２】
子供たち、および、身体機能に問題を抱える人々は、カードや紙などの物体を切る際の鋏の操作にしばしば困難を覚える。例えば子供たちには、２枚の鋏の刃（鋏刃）を互いに対して旋回させる際に、鋏を指リングで適正に把持することは困難である。子供たち、および老人や障害者等、身体機能問題を抱える人々は、物体を切る際に鋏刃を閉じる作用力を適切に発揮させることができず、鋏刃の先端を物体内で無理に閉じるとき物体を破損することがある。
【発明の概要】
【０００３】
本発明は鋏のための拘束具を提供する。鋏は、第１の鋏刃と第２の鋏刃とを備えており、第１の鋏刃と第２の鋏刃は、両鋏刃の手前端と先端との中間に提供されている旋回部周囲でそれら鋏刃が角度的に分離され、かつ、切断対象の物体を受領する鋏口を形成する開鋏形態と、第１の鋏刃と第２の鋏刃が実質的にその鋏口を閉じる閉鋏形態との間で旋回できるように構成されている。拘束具は、開鋏形態と閉鋏形態との間で鋏刃の再配置を制限する手段を備えている。
【０００４】
それらの鋏刃は切断部とグリップ部（操作部）とをそれぞれ備え、切断部は鋏刃の先方部分に配置され、グリップ部は鋏刃の手前部分に配置されている。グリップ部は指リングを備えることができる。
【０００５】
有利には、拘束具は、両鋏刃の動作範囲を規制するために鋏刃の角分離程度を制限するように作用する。これで、子供たちは鋏の使用訓練を受けながら鋏刃を適切に操作し、物体を望むように切断する能力を得る。
【０００６】
好適には、拘束具は、鋏口の開口度を制限するため、第１の鋏刃と第２の鋏刃が開鋏形態に向かって旋回する範囲を制限するように設計されている。
【０００７】
好適には、拘束具は、鋏口が完全に閉じるのを防止するため、第１の鋏刃と第２の鋏刃が閉鋏形態に向かって旋回する範囲を制限するように設計されている。
【０００８】
それぞれの鋏刃の切断部の内側縁部は、物体を切断する鋭切部と、物体が接触すると物体を挟持する鈍部とを備えている。好適には、鋭切部は、旋回部に対して手前側の切断部の端部に提供され、鈍部は、旋回部に対して遠方側の切断部の端部に提供されている。
【０００９】
鋏の鋏口を形成する鋏刃の部分は鋏刃の形状によることは理解されよう。拘束具によって鋏口が完全に閉じるのが防止される実施形態では、鋏口が鋏刃の先端部によってのみ形成される最大限に閉じた鋏形態が提供される。好適には、鋏刃が最大限に閉じた鋏形態では、鋏口は鋏刃の鈍部によってのみ形成される。さらに好適には、鋏刃が最大に閉じた鋏形態では、鋏口の頂点は実質的に、それぞれの鋏刃の鋭切部と鈍部との間の移行点と一致する。この好適実施形態では、鋏は、拘束具によって鋏口がさらに閉じるのが防止される最大限の閉鋏形態に鋏刃が旋回するまで物体を切断するように設計されている。この時点で、鋏刃の鈍部は物体と接触し、物体をその場で保持する。この構造の利点は、ユーザは切断の最中に自分の鋏位置を失わず、円滑な切断を可能にすることである。
【００１０】
好適には拘束具は、着脱可能に鋏刃に取り付けられ、第１の鋏刃と第２の鋏刃の少なくとも一部を受領するように設計された鞘体を備えている。鞘体は、好適には第１の鋏刃と第２の鋏刃との少なくとも一部に沿って延びており、好適には鞘部の長さの少なくとも一部に沿って分岐する側壁を備えている。
【００１１】
好適には、鋏刃は、鞘体内にて旋回部の周囲で回転するように構成されており、鞘体の側壁は、鋏刃が開鋏形態に再形態化できる程度を制限するように設計されている。使用時に、鞘体は、鋏刃上に配置されるよう設計されており、側壁は、略隣接する旋回部から分岐している。
【００１２】
好適には、鞘体の側壁は、鋏刃の手前端と先端に向かって鞘体の中央部から分岐するように設計されている。すなわち、鞘体の側壁は旋回部の両側の角度分離を制限し、鋏の鋏口の開口程度を制限するように設計されている。
【００１３】
好適には、拘束具は、鋏刃の旋回部と手前端との間で、鋏刃間に提供された鞘体から延びる支台（ａｂｕｔｍｅｎｔ）を備えている。支台は、鋏刃の手前端で鋏刃と接触し、鋏刃が閉鋏形態に完全に再形態化することを防止し、鋏口が完全に閉じるのを防止する。あるいは、または、加えて、拘束具は、鋏刃の手前端で鋏刃に提供された支台をさらに備えている。この支台は鋏刃と頑丈に連結されるか、鋏刃と一体的に形成され、あるいは、鋏刃と着脱可能に連結されて、鋏刃が閉鋏形態に完全に再形態化されるのを防止し、鋏口が完全に閉じるのを防止する。
【００１４】
別実施形態では、拘束具は第１の鋏刃に提供された形成部と、第２の鋏刃に提供された相互作用的スロット（空隙）とを備えている。第１の鋏刃と第２の鋏刃が開鋏形態と閉鋏形態との間で再形態化されたとき、このスロットは、旋回部の周囲で弓形であり、この形成部はスライド式にスロット内を移動するように設計されている。
【００１５】
上述したように、鋏刃は切断部とグリップ部とを備えることができ、形成部とスロットは切断部に提供されるか、グリップ部に提供される。
【００１６】
好適には、スロットはその外側端で閉じており、その外側端は鋏の鋏口との関係で提供される。スロットの外側端の位置は、好適には、鋏刃が開鋏形態に向かって旋回するときに鋏刃が一定の最大角度となるように開くと、形成部がスロットの外側端に当接し、鋏口の開き程度を規制するために第１の鋏刃と第２の鋏刃が開鋏形態に旋回できる範囲を制限するように設計されている。
【００１７】
あるいは、または、加えて、好適にはスロットは、その内側端で閉じられている。好適には、スロットの内側端の位置は、鋏刃が閉鋏形態に向かって旋回したとき、鋏刃が一定の最少角度にまで閉じると、形成部がスロットの内側端に当接し、鋏口の完全閉鎖を防止するために第１の鋏刃と第２の鋏刃が開鋏形態にまで旋回できる範囲を制限するように設定されている。
【００１８】
スロットは、形成部がスロット内で完全に規制されるように内側端と外側端の両方で閉じることもできる。外側端と内側端の位置（すなわちスロットが外側および内側に延びる限界）は、それぞれ閉鋏形態および開鋏形態に第１の鋏刃と第２の鋏刃が旋回できる範囲を制限する。
【００１９】
本発明による第２の実施形態では、切断対象の物体を受領する鋏口を形成するため、第１の鋏刃と第２の鋏刃とが、それら鋏刃の手前端と先端の中間の旋回部の周囲で角度的に分離した開鋏形態と、鋏口を閉じるために第１の鋏刃と第２の鋏刃が実質的に重なって整合した閉鋏形態との間で旋回するように設計された第１の鋏刃と第２の鋏刃とを備えた鋏が提供される。鋏は、開鋏形態と閉鋏形態との間で鋏刃の再形態化を制限する拘束部をさらに備えている。
【００２０】
第２の実施形態の鋏のさらなる特徴は、第１の実施形態の拘束具の１以上の好適な特徴を含むことができる。
【００２１】
本発明の実施例は、あくまで例示として、添付の図面に関して説明される。
【図面の簡単な説明】
【００２２】
【図１】図１は、完全閉鋏形態に配置された鋏刃を備えた鋏の斜視図である。
【図２】図２は、開鋏形態に配置された鋏刃を備えた鋏の斜視図である。
【図３】図３は、一体となった支台を備えた本発明の第１実施例の拘束具の斜視図である。
【図４】図４は、別体となった支台を備えた本発明の第２実施例の拘束具の斜視図である。
【図５】図５は、開鋏形態である本発明の実施例による鋏の斜視図である。
【図６】図６は、本発明の第３実施例による拘束具を備えた鋏の斜視図である。
【図７】図７は、図６に図示する鋏の分解図である。
【発明を実施するための形態】
【００２３】
図１と図２には、紙、カード、および布地（図示せず）のような様々な種類の物体を切断する従来型の鋏１０が図示されている。鋏１０は、第１の鋏刃１１と第２の鋏刃１２とを備える。これら鋏刃は、鋏刃の手前端と先端との間で鋏刃１１と１２を貫通する旋回ピン１３で連結されており、鋏刃１１と鋏刃１２は、ピン１３に対して回転することができる。鋏刃１１と１２はそれぞれ、ピン１３の一方側に配置された切断部１４と、ピン１３の他方側に配置されたグリップ部１５とを備えている。それぞれの鋏刃１１と１２のグリップ部１５は、鋏刃１１と１２を適切に操作し、鋏刃１１と１２をピン１３の周囲で回転させるために、使用者（図示せず）に鋏刃１１と１２をグリップさせるように鋏刃の手前端に配置された指リング１６を備えている。よって、グリップ部１５をピン１３の周囲で相対的に回転させることで、鋏刃１１と１２の切断部１４は、その内部に配置された物体（図示せず）を切断するように両者間に形成された鋏口を開いたり閉じたりできる。
【００２４】
図３には、鋏刃１１と１２がピン１３の周囲を相対的に回転するとき、図１と図２で図示された鋏１０のような、鋏１０の鋏刃１１と１２の動作範囲を制限する本発明の第１実施例による拘束具１００が図示されている。拘束具１００は、鋏刃１１と１２が角度的に分離され、鋏口が切断対象の物体（図示せず）を受領する開鋏形態と、鋏刃１１と１２が実質的に重なり合って鋏口を閉じた閉鋏形態との間で、鋏刃１１と１２の切断部１４が回転できる範囲を制限するように設計されている。
【００２５】
固定具１００は、鋏刃１１と１２の一部を受領するように形成された鞘腔部１０２を有した鞘体１０１を備えている。本発明の１実施例では、鞘体１０１は、第１の鞘カバー１０１ａと第２の鞘カバーとを備えている（図３には第１の鞘カバーのみ図示）。これらはピン１３に隣接する鋏刃１１と１２の両側に配置され、鋏刃と着脱可能に連結する。別実施例では、鞘体１０１は弾性的で可撓性の材料で形成でき、鞘体１０１は、鋏刃１１と１２が鞘腔部１０２に挿入され（閉鋏形態に配置されたとき）、ピンに近く配置されるように鋏刃に沿って鞘体をスライドさせることで鋏刃１１と１２に固定される。
【００２６】
鞘腔部１０２は、鞘体１０１に沿って、その中央部１０３から鞘体１０１の縦方向の両端１０４に向かって分岐する側壁１０１ｂを備えている。従って、鞘腔部１０２の幅は、鞘体１０１の中央部１０３から両方の縦方向端に向かって増加するように設計されている。鋏刃１１と１２は、鞘体１０１内でピン１３の周囲を相対的に回転するように設計されている。しかし、鞘体１０１の側壁１０１ｂは、鋏刃１１と１２の切断部１４の角度分離を６０°未満、好適には４５°未満、さらに好適には３５°未満に制限するように設計されている。
【００２７】
第１実施例の鞘体１０１は、支台１０５をさらに備えている。これは鋏刃１１と１２の手前端で鞘カバー１０１ａ間を延びるように設計されており、グリップ部１５の間で鋏刃１１と１２のグリップ部１５が接触し、鋏刃１１と１２の鋏口が完全に閉じることを防止するように設計されている。支台１０５は、鞘カバー１０１ａの一方または両方に着脱可能に連結でき、または、鞘カバー１０１ａの一方または両方に頑丈に連結でき、例えば、鞘体１０１を鋏刃１１と１２上にスライドさせたとき旋回部１３は支台１０５を通過することができる。グリップ部１５の間に適正に配置されると、支台１０５は鋏刃の切断部１４の最小の角度分離を約５°に規制するように設計されている。
【００２８】
本発明の拘束具１００の第２実施例では、図４で図示するように、支台１０５は、鋏刃１１と１２の一方または両方の手前部、例えば指リング１６の位置から延び出ることができる。例えば、支台１０５は、指リング１６にスナップ式に配置できるように設計されたクリップ１０６を使用して着脱可能に連結できる。あるいは、支台１０５は指リング１６に頑丈に連結または一体的に形成できる。支台１０５は鋏刃１１と１２の回転面内で他方の指リング１６に向かって延びることができ、支台１０５は同様に構成されて鋏刃１１と１２の切断部１４の鋏口が閉じるのを防止するため、鋏刃１１と１２の手前端が接触するのを防止する。
【００２９】
図５で図示するように、本発明の実施例の鋏２００は上述の第２実施例の拘束具１００を含む。鋏２００は図１と図２に関して説明したものと同じ特徴部を含み、同一特徴部は同じ番号に２００を足して表示されている。
【００３０】
図５で示す実施例では、支台１０５は、指リング１６に着脱可能に連結できる、あるいは、そこに頑丈に連結できる。使用に際して、鞘体１０１は、切断部２１４で鋏刃２１１と２１２の角度分離を実質的に３５°に制限し、使用者（図示せず）が鋏刃２１１と２１２を制御する能力を減少させるような位置にグリップ部２１５が分離することを防止する。同様に、指リング２１６に提供された支台１０５は、指リング２１６が図１のように接触することを防止し、鋏刃２１１と２１２の先方部が重なり合って鋏口を閉じるのを防止する。このように、拘束具１００は物体（図示せず）を切断する際に鋏刃２１１と２１２をさらに良く制御させるように、回動ピン２１３の周囲の規制された範囲で鋏刃２１１と２１２の動作を提供し、物体の滑らかな切断を保証する。
【００３１】
図６と図７に図示する鋏３００は、本発明の別実施例による拘束具３２０を含む。鋏３００は図１と図２で説明したものと同じ特徴部を含む。よって、同一特徴部には同一番号に３００が足されたものが付されている。詳細には、鋏３００は、第１の鋏刃３１１と第２の鋏刃３１２を貫通する旋回ピン３１３の周囲で手前端と先端の中間にて連結された第１の鋏刃３１１と第２の鋏刃３１２を備え、鋏刃３１１と３１２はピン３１３の周囲で互いに回転できる。鋏刃３１１と３１２は、ピン３１３の片側に提供された切断部３１４と、ピン３１３の別側に提供されたグリップ部３１５とをそれぞれ備えている。切断部３１４の内側縁部は、鋏刃３１１と３１２の切断部２１３の間で形成された鋏口に挿入された紙等を切断するのに適した鋭切部３１７を備えている。切断部３１４の内側縁部は、紙等が鋏刃３１１と３１２の切断部３１２の間に形成される鋏口の頂点に保持されたときに、紙等をグリップするのに適した鈍部３１８をさらに備えている。各鋏刃３１１と３１２のグリップ部３１５は、その先端に提供された指リング３１６を備えている。図示の実施例では、グリップ部３１５は熱可塑性エラストマー樹脂（ＴＰＥ）のようなプラスチック材料で形成される。しかし、グリップ部３１５は金属等でも形成でき、切断部３１４と一体的に形成することもできる。グリップ部３１５は、使用者（図示せず）に鋏刃３１１と３１２をグリップさせ、鋏刃３１１と３１２を適正に操作させ、鋏刃３１１と３１２をピン３１３の周囲で回転させる。従って、グリップ部３１５をピン３１３の周囲で相対的に回転させることで、鋏刃３１１と３１２の切断部３１４は回転し、それらの中間に形成された鋏口を開閉させる。
【００３２】
図６と図７で図示する実施例では、拘束具３２０は、第１の鋏刃３１１に提供された円筒突起部の形態の形成部３２１を備えている。形成部３２１は第１の鋏刃３１１の切断部３１４と一体的に形成されている。
【００３３】
拘束具はさらに第２の鋏刃３１２に提供された相助的スロット３２２を備えている。スロット３２２は、ピン３１３を中心するとする弧を形成する。これは、鋏刃３１１と３１２の旋回部を提供する。円の半径、すなわち弧の１点とピン３１３との間の垂直距離は、ピン３１３の位置の第１の鋏刃３１１の幅の半分未満であり、スロット３２２は、鋏刃３１１と３１２の動作の角度範囲全体で第１の鋏刃３１１の一部と接触状態に残る。スロットの幅は、形成部３２１がスロット３２２内で密着するが、その弓形状に沿ってスライド式に移動させるようになっている。
【００３４】
スロット３２２は形成部３２１がスロット３２２内で拘束されるように内側端３２２ａと外側端３２２ｂで境界を接する。スロット３２２の長さ、すなわち内側端３２２ａと外側端３２２ｂとの間の弓形距離は、鋏刃３１１と３２２の動作の望む角度範囲に従って選択できる。
【００３５】
鋏口を開閉するために鋏刃３１１と３１２が内側および外側に旋回できる範囲は、スロット３２２と形成部３１１との相互作用によって拘束される。例えば、鋏刃３１１と３１２が開くことができる範囲は、スロット３２２の外側端３２２ｂの位置によって制限される。形成部３２１がスロット３２２の外側端３２２ｂに当接すると、形成部３２１はこの点を越えて外側に移動できず、鋏刃３１１と３１２はさらなる開きが規制される。この最大に開いた形態は図６で図示されている。同様に、鋏刃３１１と３１２が閉じることができる範囲はスロット３２２の内側端３２２ａの位置で制限される。形成部３２１がスロット３２２の内側端３２２ａに当接すると、形成部３２１はさらに内側に移動することが防止され、鋏刃３１１と３２１はさらに閉じることが防止される。
【００３６】
使用時に、ユーザが鋏刃を最大に開いた形態から閉じた形態に旋回させると、鋏刃３１１と３１２の鋭切部３１７は鋏口の頂点で物体を切断するように作用する。しかし、鋏刃３１１と３１２が最大に閉じた形態に到達すると、鋏口は鋏刃３１１と３１２の鈍部３１８によってのみ形成される。よって、鋏刃３１１と３１２が最大限に閉じた形態にあるとき、物体は鋏刃３１１と３１２の鈍部３１８の間に保持され、切断時にはユーザに容易に自身の位置を維持させ、怪我のリスクを軽減する。
【００３７】
しかし、鋏３００は、内側端３２２ａの位置が、鋏刃３１１と３１２が閉じる範囲を制限しないように設計されていることは理解されよう。例えば、スロット３２２の内側端３２２ａは、第２の鋏刃３１２の充分内側に配置でき、鋏刃３１１と３１２はグリップ部３１５の指リング３１６の支台によって完全に閉じるのが防止される。この実施例では、鋏刃３１１と３１２は完全に閉じることができ、拘束具３２０は鋏刃３１１と３１２の開き程度を制限するようにのみ作用する。同様に、鋏３００は、外側端３２２ｂの位置が、鋏刃３１１と３１２が開き程度を制限しないように設計できる。この実施例では、拘束具３２０は鋏刃３１１と３１２の閉鎖を制限するようにのみ作用する。
【００３８】
別実施例（図示せず）では、スロットは内側端３２２ａまたは外側端３２２ｂのいずれかで開いており、形成部３１２は、鋏刃３１１と３１２が完全に閉じた形態のとき、および完全に開いた形態のときにそれぞれスロットから抜け出すことができる。従って、この実施例では、拘束具は鋏刃３１１と３１２を完全に閉じるか、あるいは完全に開くことは防止するが、鋏刃３１１と３１２が完全に開き、完全に閉じることは防止しないように設計されている。
【００３９】
さらに、鋏刃３１１と３１２の鋭切部３１７や鈍部３１８のごとき特徴部は図６と図７に図示する実施例に関して説明したが、そのような特徴部は本発明の他の実施例にも同様に適用できることは理解されよう。
【図１】
0006367790.tif 000002
【図２】
0006367790.tif 000003
【図３】
0006367790.tif 000004
【図４】
0006367790.tif 000005
【図５】
0006367790.tif 000006
【図６】
0006367790.tif 000007
【図７】
0006367790.tif 000008